(57)【要約】【課題】本発明の目的は、携帯可能な表示装置を提供することにある。【解決手段】本発明の携帯可能な表示装置は、カバーと、マイクロプロジェクターモジュールと、第一表示スクリーンと、タッチモジュールとを含む。マイクロプロジェクターモジュールは、カバー内に設けられ、第一成像用光線を発する。第一表示スクリーンはカバー内に設けられ、マイクロプロジェクターモジュールは第一成像用光線を第一表示スクリーンに投影する。タッチモジュールは、第一表示スクリーンの上に設けられる。【選択図】図１Ｂ
2015026073.tif 000002
【特許請求の範囲】
【請求項１】
カバーと、
該カバー内に設けられ、第一成像用光線を発するマイクロプロジェクターモジュールと、
該カバー内に設けられる第一表示スクリーンであって、該マイクロプロジェクターモジュールが第一成像用光線を該第一表示スクリーンに投影する第一表示スクリーンと、
該第一表示スクリーンの上に設けられたタッチモジュールとを含む携帯可能な表示装置。
【請求項２】
前記マイクロプロジェクターモジュールが発した前記第一成像用光線は、前記カバー内で第一表示スクリーンに伝搬される請求項１に記載の携帯可能な表示装置。
【請求項３】
前記マイクロプロジェクターモジュールは、
照明用光線を発し、かつ発光ダイオード、レーザー源、又はレーザー源と蛍光モジュールとの組合せで構成された複合式光源を含む照明システムと、
照明用光線の伝搬経路に配置され、かつ該照明用光線を成像用光線である第一成像用光線に変換するライトバルブと、
該第一成像用光線の伝搬経路に配置され、かつ該ライトバルブと前記第一表示スクリーンとの間に位置する成像レンズとを含む請求項１に記載の携帯可能な表示装置。
【請求項４】
前記マイクロプロジェクターモジュールは、
前記第一成像用光線を発する光源モジュールと、
該第一成像用光線の伝搬経路に配置され、かつ該第一成像用光線で第一表示スクリーン上の各位置を走査する走査モジュールとを含む請求項１に記載の携帯可能な表示装置。
【請求項５】
前記光源モジュールは、レーザー光源を含む請求項４に記載の携帯可能な表示装置。
【請求項６】
前記第一表示スクリーンは、フレネルレンズと柱状レンティキュラーレンズとの組合せ、拡散板又は回折板を含む請求項１に記載の携帯可能な表示装置。
【請求項７】
前記第一表示スクリーンは蛍光層を含み、前記第一成像用光線が該蛍光層に照射されるとき、該第一成像用光線の作用により該蛍光層が第二成像用光線を生成する請求項１に記載の携帯可能な表示装置。
【請求項８】
前記カバーにおいて、前記マイクロプロジェクターモジュールに近づく一端の厚さと該マイクロプロジェクターモジュールから離れる他端の厚さとが実際に同じであるか、或いは前記カバーの厚さが該マイクロプロジェクターモジュールに近づく一端から該マイクロプロジェクターモジュールから離れる他端に向かって逓減する請求項１に記載の携帯可能な表示装置。
【請求項９】
前記携帯可能な表示装置は反射部品を更に含み、該反射部品は前記マイクロプロジェクターモジュールが発した第一成像用光線を前記第一表示スクリーンに反射する請求項１に記載の携帯可能な表示装置。
【請求項１０】
前記カバーの厚さは、前記反射部品に近づく一端から前記マイクロプロジェクターモジュールに近づく他端に向かって逓減する請求項９に記載の携帯可能な表示装置。
【請求項１１】
前記マイクロプロジェクターモジュールと前記反射部品は、前記カバー内において相対する両側に設けられるか、或いは同一側に設けられる請求項９に記載の携帯可能な表示装置。
【請求項１２】
前記反射部品は、平面鏡、凸面鏡、凹面鏡、円柱面型凸面鏡又は円柱面型凹面鏡である請求項１１に記載の携帯可能な表示装置。
【請求項１３】
前記カバーには突出部が形成され、前記マイクロプロジェクターモジュールは該突出部に配置される請求項１に記載の携帯可能な表示装置。
【請求項１４】
前記マイクロプロジェクターモジュールは、前記カバーの一辺又は１つの隅部に配置される請求項１に記載の携帯可能な表示装置。
【請求項１５】
前記携帯可能な表示装置は回転構造を更に含み、前記マイクロプロジェクターモジュールが該回転構造により前記カバーに回転可能に連結されることにより、該マイクロプロジェクターモジュールが内投影位置と外投影位置との間で回転することができ、該マイクロプロジェクターモジュールが内投影位置に位置するとき、該マイクロプロジェクターモジュールの第一成像用光線が第一表示スクリーンに投影され、該マイクロプロジェクターモジュールが外投影位置に位置するとき、該マイクロプロジェクターモジュールの第一成像用光線がカバーの外に投影される請求項１に記載の携帯可能な表示装置。
【請求項１６】
前記携帯可能な表示装置は発光器と受光器を更に含み、該発光器は第三光線を前記カバーの外の前記第一成像用光線の投影区域に投影し、該受光器は該第三光線の変化を検出することにより、該第一成像用光線の投影区域にある物体の位置を検出する請求項１５に記載の携帯可能な表示装置。
【請求項１７】
前記携帯可能な表示装置は偏極化分光器を更に含み、前記マイクロプロジェクターモジュールは、前記第一成像用光線と第四成像用光線を交替に発し、該第一成像用光線の偏光状態と該第四成像用光線の偏光状態とが異なり、該第一成像用光線は該偏極化分光器の反射により前記第一表示スクリーンに投影され、該第四成像用光線は該偏極化分光器を透過した後に前記カバーの外に投影される請求項１に記載の携帯可能な表示装置。
【請求項１８】
前記携帯可能な表示装置は光学補償部品を更に含み、前記偏極化分光器を透過した第四成像用光線は、該光学補償部品の伝搬により前記カバーの外に投影され、かつ該光学補償部品は、該第四成像用光線が該カバーの外に投影されるときに発生する画像差を補償する請求項１７に記載の携帯可能な表示装置。
【請求項１９】
前記携帯可能な表示装置は発光器と受光器を更に含み、該発光器は前記カバーの外にある前記第四成像用光線の投影区域に第五光線を発し、該受光器は該第五光線の変化を検出することにより該第四成像用光線の投影区域にある物体の位置を検出する請求項１７に記載の携帯可能な表示装置。
【請求項２０】
前記携帯可能な表示装置は第二表示スクリーンを更に含み、該第二表示スクリーンは前記カバー内に収納されるか或いは該カバーの外に展開され、該第二表示スクリーンが該カバー内に収納されるとき、前記マイクロプロジェクターモジュールは第一成像用光線を前記第一表示スクリーンに投影し、該第二表示スクリーンが該カバーの外に展開されるとき、マイクロプロジェクターモジュールは第一成像用光線を前記第一表示スクリーンと前記第二表示スクリーンに投影する請求項１に記載の携帯可能な表示装置。
【請求項２１】
前記タッチモジュールは静電容量式タッチパネルである請求項１に記載の携帯可能な表示装置。
【請求項２２】
前記タッチモジュールは光導波式タッチモジュールであり、かつ
検出用光線を発する光出射器と、
検出用光線の伝搬経路に配置される導光板と、
導光板から出射された検出用光線の伝搬経路に配置される光検出器とを含み、
ある物体でタッチモジュールをタッチするとき、当該物体により前記導光板内で伝搬される前記検出用光線が変化し、前記光検出器は当該物体により変化された該検出用光線を検出する請求項１に記載の携帯可能な表示装置。
【請求項２３】
前記タッチモジュールは遮光式タッチモジュールであり、かつ
前記第一表示スクリーンの一側に配置され、かつ該第一表示スクリーンの前側に伝搬される検出用光線を発する光出射モジュールと、
前記第一表示スクリーンの他側に配置され、かつ該検出用光線を接収する光接収モジュールとを含む請求項１に記載の携帯可能な表示装置。
【請求項２４】
前記タッチモジュールは光走査式タッチモジュールであり、かつ
前記第一表示スクリーンの一側に設けられ、該第一表示スクリーンの前側の空間を走査するための検出用光線を発する少なくとも１つの走査用光源と、
前記第一表示スクリーンの一側に設けられ、該第一表示スクリーンの前側の空間を通過する検出用光線を検出する光接収器とを含み、
ある物体で該第一表示スクリーンをタッチするか或いは第一表示スクリーンに接近させるとき、前記光接収器は該物体に反射された検出用光線を検出する請求項１に記載の携帯可能な表示装置。
【請求項２５】
前記携帯可能な表示装置は透光式太陽パネルを更に含み、該透光式太陽パネルは前記第一表示スクリーンに接近する一側に位置し、かつ前記第一成像用光線の伝搬経路に配置される請求項１に記載の携帯可能な表示装置。
【請求項２６】
前記携帯可能な表示装置は太陽パネルを更に含み、該太陽パネルは前記第一表示スクリーンと対向するように前記カバー内に設けられる請求項１に記載の携帯可能な表示装置。
【発明の詳細な説明】
【技術分野】
【０００１】
本発明は、表示装置に関し、特に携帯可能な表示装置に関する。
【背景技術】
【０００２】
現在科学技術の発展に伴い、電子装置の携帯性及び操作性が向上したことにより、携帯可能な表示装置（例えばスマートフォン、タブレットコンピュータなど）は、現在の使用者にとって欠けてはならない電子装置になっている。通常の携帯可能な表示装置は、バックライトモジュールと液晶モジュールを含む。バックライトモジュールは、液晶モジュールの一側に設けられ、液晶モジュールに光線を発する。液晶モジュールは、バックライトモジュールの光線を画像に変更して表示する。
【０００３】
バックライトモジュールと液晶モジュールの電気消耗が多いので、表示スクリーンのサイズを増加することにより、携帯可能な表示装置の重さと電気消耗が共に増加する。かつ、携帯可能な表示装置において、通常にバックライトモジュールと液晶モジュールが占めるコストが高い。
【０００４】
アメリカ特許公開第２００５／０２５９３２２号にはタッチ式投影スクリーンが記載されている。アメリカ特許公開第２０１３／００１６３２４号には広視野投影装置が記載されている。アメリカ特許公開第２００８／０１３６９７３号にはノートパソコンが記載されている。
【先行技術文献】
【特許文献】
【０００５】
【特許文献１】アメリカ特許公開第２００５／０２５９３２２号公報
【特許文献２】アメリカ特許公開第２０１３／００１６３２４号公報
【特許文献３】アメリカ特許公開第２００８／０１３６９７３号公報
【発明の概要】
【０００６】
本発明において、携帯可能な表示装置を提供する。該携帯可能な表示装置と従来の携帯可能な表示装置を比較して見ると、本発明の携帯可能な表示装置は、重さが軽く、電気消耗が少なく、コストが安い利点を有している。それは、本発明の携帯可能な表示装置がコストが高く、重さが多く、電気消耗が多い液晶モジュールとバックライトモジュールを使っていないためである。本発明の他の目的と利点などについては、本発明の明細書に記載されている技術的事項により一層詳しく理解することができる。
【課題を解決するための手段】
【０００７】
上述した課題を解決するため、本発明の実施例において、カバーと、マイクロプロジェクターモジュールと、第一表示スクリーンと、タッチモジュールとを含む携帯可能な表示装置を提供する。マイクロプロジェクターモジュールは、カバー内に設けられ、第一成像用光線を発する。第一表示スクリーンはカバー内に設けられ、マイクロプロジェクターモジュールは第一成像用光線を第一表示スクリーンに投影する。タッチモジュールは、第一表示スクリーンの上に設けられる。
【０００８】
本発明の実施例において、前記マイクロプロジェクターモジュールが発した第一成像用光線は、カバー内で第一表示スクリーンに伝搬される。
【０００９】
本発明の実施例において、前記マイクロプロジェクターモジュールは、照明システムと、ライトバルブと、レンズなどのような複数の光学部品と、成像レンズとを含む。照明システムは照明用光線を発し、かつ発光ダイオード、レーザー源、又はレーザー源と蛍光モジュールとの組合せで構成された複合式光源を含む。ライトバルブは照明用光線の伝搬経路に配置され、かつ該照明用光線を成像用光線である第一成像用光線に変換する。成像レンズは第一成像用光線の伝搬経路に配置され、かつライトバルブと第一表示スクリーンとの間に位置する。
【００１０】
本発明の実施例において、前記マイクロプロジェクターモジュールは、光源モジュールと走査モジュール（scanner  module）を含む。光源モジュールは第一成像用光線を発する。
走査モジュールは第一成像用光線の伝搬経路に配置され、かつ第一成像用光線で第一表示スクリーン上の各位置を走査する。
【００１１】
本発明の実施例において、前記第一表示スクリーンは、フレネルレンズ（fresnel  lens）と柱状レンティキュラー（lenticular）との組合せ、拡散板（diffuser  plate）又は回折板（diffractive  plate）を含む。
【００１２】
本発明の実施例において、前記第一表示スクリーンは蛍光層を含む。第一成像用光線が蛍光層に照射されるとき、第一成像用光線の作用により蛍光層が第二成像用光線を生成する。
【００１３】
本発明の実施例において、前記光源モジュールがレーザー光源である。
【００１４】
本発明の実施例において、前記カバーにおいて、マイクロプロジェクターモジュールに近づく一端の厚さとマイクロプロジェクターモジュールから離れる他端の厚さとが実際に同じであるか、或いはカバーの厚さがマイクロプロジェクターモジュールに近づく一端からマイクロプロジェクターモジュールから離れる他端に向かって逓減する。
【００１５】
本発明の実施例において、携帯可能な表示装置は反射部品を更に含む。反射部品はマイクロプロジェクターモジュールが発した第一成像用光線を第一表示スクリーンに反射する。
【００１６】
本発明の実施例において、前記カバーの厚さは、反射部品に近づく一端からマイクロプロジェクターモジュールに近づく他端に向かって逓減する。
【００１７】
本発明の実施例において、前記マイクロプロジェクターモジュールと反射部品は、カバー内の相対する両側に設けられるか、或いは同一側に設けられる。
【００１８】
本発明の実施例において、前記反射部品は、平面鏡、凸面鏡、凹面鏡、円柱面型凸面鏡又は円柱面型凹面鏡である。
【００１９】
本発明の実施例において、前記カバーには突出部が形成され、マイクロプロジェクターモジュールは該突出部に配置される。
【００２０】
本発明の実施例において、前記マイクロプロジェクターモジュールは、カバーの一辺又は１つの隅部に配置される。
【００２１】
本発明の実施例において、前記携帯可能な表示装置は回転構造を更に含み、マイクロプロジェクターモジュールが回転構造によりカバーに回転可能に連結されることにより、マイクロプロジェクターモジュールが内投影位置と外投影位置との間で回転することができる。マイクロプロジェクターモジュールが内投影位置に位置するとき、マイクロプロジェクターモジュールの第一成像用光線が第一表示スクリーンに投影され、マイクロプロジェクターモジュールが外投影位置に位置するとき、マイクロプロジェクターモジュールの第一成像用光線はカバーの外に投影される。
【００２２】
本発明の実施例において、前記携帯可能な表示装置は発光器と受光器を更に含む。発光器はカバーの外の第一成像用光線の投影区域に第三光線を発し、受光器は第三光線の変化を検出することにより、第一成像用光線の投影区域にある物体の位置を検出する。
【００２３】
本発明の実施例において、前記携帯可能な表示装置は偏極化分光器（Polarizing  Beam  Splitter、ＰＢＳ）を更に含み、マイクロプロジェクターモジュールは、第一成像用光線と第四成像用光線を交替に発する。第一成像用光線の偏光状態と第四成像用光線の偏光状態とが異なり、かつ第一成像用光線は偏極化分光器の反射により第一表示スクリーンに投影され、第四成像用光線は偏極化分光器を透過した後にカバーの外に投影される。
【００２４】
本発明の実施例において、前記携帯可能な表示装置は光学補償部品を更に含む。偏極化分光器を透過した第四成像用光線は、光学補償部品の伝搬によりカバーの外に投影される。光学補償部品は、第四成像用光線がカバーの外に投影されるときに発生する画像差を補償する。
【００２５】
本発明の実施例において、前記携帯可能な表示装置は発光器と受光器を更に含む。発光器はカバーの外にある第四成像用光線の投影区域に第五光線を発する。受光器は第五光線の変化を検出することにより、第四成像用光線の投影区域にある物体の位置を検出する。
【００２６】
本発明の実施例において、前記携帯可能な表示装置は第二表示スクリーンを更に含む。第二表示スクリーンはカバー内に収納されるか或いは該カバーの外に展開される。第二表示スクリーンがカバー内に収納されるとき、マイクロプロジェクターモジュールは第一成像用光線を第一表示スクリーンに投影し、該第二表示スクリーンがカバーの外に展開されるとき、マイクロプロジェクターモジュールは第一成像用光線を第一表示スクリーンと第二表示スクリーンに投影する。
【００２７】
本発明の実施例において、前記タッチモジュールは静電容量式タッチパネルである。
【００２８】
本発明の実施例において、前記タッチモジュールは光導波式（optical  waveguide  type）タッチモジュールである。該タッチモジュールは、検出用光線を発する光出射器と、検出用光線の伝搬経路に配置される導光板と、導光板から出射された検出用光線の伝搬経路に配置される光検出器とを含む。ある物体でタッチモジュールをタッチするとき、当該物体により導光板内で伝搬される検出用光線が変化し、光検出器は該物体により変化された検出用光線を検出する。
【００２９】
本発明の実施例において、前記タッチモジュールは遮光式（optical  curtain  type）タッチモジュールである。該タッチモジュールは、光出射モジュールと光接収モジュールを含む。光出射モジュールは、第一表示スクリーンの一側に配置され、第一表示スクリーンの前側に伝搬される検出用光線を発する。光接収モジュールは、第一表示スクリーンの他側に配置され、検出用光線を接収する。
【００３０】
本発明の実施例において、前記タッチモジュールは光走査式（optical  scanning  type）タッチモジュールである。該タッチモジュールは、少なくとも１つの走査用光源と光接収器を含む。走査用光源は、第一表示スクリーンの一側に設けられ、第一表示スクリーンの前側の空間を走査するための検出用光線を発する。光接収器は、第一表示スクリーンの一側に設けられ、第一表示スクリーンの前側の空間を通過する検出用光線を検出する。ある物体で第一表示スクリーンをタッチするか或いは第一表示スクリーンに接近させるとき、光接収器は該物体に反射された検出用光線を検出する。
【００３１】
本発明の実施例において、前記携帯可能な表示装置は透光式太陽パネルを更に含む。該透光式太陽パネルは、第一表示スクリーンに接近する一側に位置し、かつ第一成像用光線の伝搬経路に配置される。
【００３２】
本発明の実施例において、前記携帯可能な表示装置は太陽パネルを更に含む。該太陽パネルは、第一表示スクリーンに対向するようにカバー内に設けられる。
【発明の効果】
【００３３】
本発明の実施例に係る携帯可能な表示装置は、次のような発明の効果を奏することができる。本発明の携帯可能な表示装置は、カバー内に設けられたマイクロプロジェクターモジュールにより、画像を表示スクリーンを投影する。すなわち、従来のバックライトモジュールと液晶モジュールが設けられていないので、本発明の携帯可能な表示装置は重さが軽く、電気消耗が少なく、製造コストが安いという発明の効果を奏することができる。
【００３４】
上述した特徴及び利点をより詳しく説明するため、上述する実施例と図面により本発明を詳細に説明する。
【図面の簡単な説明】
【００３５】
【図１Ａ】本発明の第一実施例に係る携帯可能な表示装置を示す平面図である。
【図１Ｂ】図１Ａの携帯可能な表示装置を示す断面図である。
【図１Ｃ】図１Ａの携帯可能な表示装置のマイクロプロジェクターモジュールを示す図である。
【図１Ｄ】図１Ａの携帯可能な表示装置のタッチモジュールの一部分を示す断面図である。
【図２】本発明の第二実施例に係る携帯可能な表示装置のマイクロプロジェクターモジュールを示す図である。
【図３Ａ】本発明の第三実施例に係る携帯可能な表示装置を示す平面図である。
【図３Ｂ】図３Ａの携帯可能な表示装置を示す断面図である。
【図４Ａ】本発明の第四実施例に係る携帯可能な表示装置を示す平面図である。
【図４Ｂ】図４Ａの携帯可能な表示装置を示す断面図である。
【図５Ａ】本発明の第五実施例に係る携帯可能な表示装置を示す平面図である。
【図５Ｂ】図５Ａの携帯可能な表示装置を示す断面図である。
【図６Ａ】本発明の第六実施例に係る携帯可能な表示装置を示す平面図である。
【図６Ｂ】図６Ａの携帯可能な表示装置を示す断面図である。
【図７Ａ】本発明の第七実施例に係る携帯可能な表示装置を示す平面図である。
【図７Ｂ】図７Ａの携帯可能な表示装置を示す断面図である。
【図８Ａ】本発明の第八実施例に係る携帯可能な表示装置を示す平面図である。
【図８Ｂ】図８Ａの携帯可能な表示装置を示す断面図である。
【図９Ａ】本発明の第九実施例に係る携帯可能な表示装置を示す平面図である。
【図９Ｂ】図９Ａの携帯可能な表示装置を示す断面図である。
【図１０Ａ】本発明の第十実施例に係る携帯可能な表示装置を示す平面図である。
【図１０Ｂ】図１０Ａの携帯可能な表示装置を示す断面図である。
【図１１Ａ】本発明の第十一実施例に係る携帯可能な表示装置を示す平面図である。
【図１１Ｂ】図１１Ａの携帯可能な表示装置を示す断面図である。
【図１２Ａ】本発明の第十二実施例に係る携帯可能な表示装置を示す平面図である。
【図１２Ｂ】図１２Ａの携帯可能な表示装置を示す断面図である。
【図１３Ａ】本発明の第十三実施例に係る携帯可能な表示装置のマイクロプロジェクターモジュールが画像を第一表示スクリーンに投影することを示す図である。
【図１３Ｂ】図１３Ａの携帯可能な表示装置のマイクロプロジェクターモジュールが画像をカバーの外に投影することを示す図である。
【図１４】本発明の第十四実施例に係る携帯可能な表示装置を示す平面図である。
【図１５Ａ】本発明の第十五実施例に係る携帯可能な表示装置のマイクロプロジェクターモジュールが画像を第一表示スクリーンに投影することを示す図である。
【図１５Ｂ】図１５Ａの携帯可能な表示装置のマイクロプロジェクターモジュールが画像をカバーの外に投影することを示す図である。
【図１６Ａ】本発明の第十六実施例に係る携帯可能な表示装置のマイクロプロジェクターモジュールが画像をカバーの外に投影することを示す図である。
【図１６Ｂ】図１６Ａの携帯可能な表示装置を示す断面図である。
【図１７】本発明の第十七実施例に係る携帯可能な表示装置を示す平面図である。
【図１８Ａ】本発明の第十八実施例に係る携帯可能な表示装置の第二表示スクリーンがカバー内に収納されることを示す図である。
【図１８Ｂ】図１８Ａの携帯可能な表示装置の第二表示スクリーンがカバーの外に展開されていることを示す図である。
【図１９Ａ】本発明の第十九実施例に係る携帯可能な表示装置を示す平面図である。
【図１９Ｂ】図１９Ａの携帯可能な表示装置のタッチモジュールの作動原理を示す図である。
【図１９Ｃ】図１９Ａの携帯可能な表示装置のタッチモジュールの作動原理を示す図である。
【図２０Ａ】本発明の第二十実施例に係る携帯可能な表示装置を示す平面図である。
【図２０Ｂ】図２０Ａの携帯可能な表示装置のタッチモジュールの作動原理を示す図である。
【図２１】本発明の第二十一実施例に係る携帯可能な表示装置を示す図である。
【図２２Ａ】本発明の第二十二実施例に係る携帯可能な表示装置を示す図である。
【図２２Ｂ】図２２Ａの携帯可能な表示装置の局部を示す図である。
【図２３】本発明の第二十三実施例に係る携帯可能な表示装置を示す断面図である。
【発明を実施するための形態】
【００３６】
本発明の上述した内容、技術的事項、特徴及び発明の効果は、以下、図面を参照しながら詳述する下記の好適な実施例により、詳細に説明される。下述する実施例において、方向を示す用語（以下、方向用語と省略）、例えば、上、下、左、右、前又は後などは、図面上の方向のみを示すものである。すなわち、下述する方向用語は、本発明を説明するものであるが、本発明を限定するものではない。
【００３７】
図１Ａは、本発明の第一実施例に係る携帯可能な表示装置を示す平面図であり、図１Ｂは、図１Ａの携帯可能な表示装置を示す断面図である。図１Ａと図１Ｂを参照すると、本実施例の携帯可能な表示装置１００の例として、タブレット端末が示されているが、他の実施例において、携帯可能な表示装置１００をスマートフォン、ノートブック、携帯情報端末（Personal  Digital  Assistant、ＰＤＡ）又はオールインワンパソコン（all-in-one  computer）などに応用することもできる。
【００３８】
本実施例の携帯可能な表示装置１００は、カバー１１０と、マイクロプロジェクターモジュール１２０と、第一表示スクリーン１３０と、タッチモジュール１４０とを含む。マイクロプロジェクターモジュール１２０は、カバー１１０内に設けられ、かつ第一成像用光線Ｌ１を発する。第一表示スクリーン１３０は、カバー１１０上に設けられ、マイクロプロジェクターモジュール１２０の第一成像用光線Ｌ１は、カバー１１０内で第一表示スクリーン１３０に伝搬される。タッチモジュール１４０は、第一表示スクリーン１３０上に設けられる。
【００３９】
本実施例において、マイクロプロジェクターモジュール１２０をカバー１１０の内部のサイズと各部品の配置方法に合わせるため、超短焦点プロジェクター（ultra  short  throw、ＵＳＴ）類のマイクロプロジェクターモジュール１２０を採用し、第一成像用光線Ｌ１により第一表示スクリーン１３０に綺麗な画像が形成される。本実施例において、第一表示スクリーン１３０として、フレネルレンズ（fresnel  lens）と柱状レンティキュラーレンズ（lenticular  lens）との組合せ、拡散板（diffuser  plate）又は回折板（diffractive  plate）などを採用することができる。フレネルレンズは、不平行の光線を平行の光線に変換し、柱状レンティキュラーレンズは、光線を集光させることにより光形を調節する。拡散板は、光線を均等に拡散することができる。回折板は、光線の方向を調節して、光線が所定の位置まで伝搬されるようにする。しかし、第一表示スクリーン１３０の種類が上述した内容に限定されるものではない。
【００４０】
図１Ｃは、図１Ａの携帯可能な表示装置のマイクロプロジェクターモジュールを示す図である。本実施例において、マイクロプロジェクターモジュール１２０は、照明システム１２２と、ライトバルブ１２４と、成像レンズ１２６とを含む。照明システム１２２は、照明用光線ＬＬを発する。ライトバルブ１２４は、照明用光線ＬＬの伝搬経路に配置され、かつ照明用光線ＬＬを第一成像用光線Ｌ１（成像用光線）に変換する。成像レンズ１２６は、第一成像用光線Ｌ１の伝搬経路においてライトバルプ１２４と第一表示スクリーン１３０との間に配置され、第一成像用光線Ｌ１を第一表示スクリーン１３０に投影させる。他の実施例において、マイクロプロジェクターモジュール１２０は、複数の光学部品、例えばレンズなどを更に含むことができる。
【００４１】
照明システム１２２として、発光ダイオード、レーザー源、又はレーザー源と蛍光モジュール（例えば、複数の扇形の蛍光区域を含み、かつ回転可能な蛍光粉ホイール）との組合せで構成された複合式光源を採用することができる。ライトバルブ１２４として、シリコン基板型液晶パネル（liquid−crystal−on−silicon  panel、ＬＣＯＳ  panel）、ディジタルマイクロミラーデバイス（digital  micro−mirror  device、ＤＭＤ）又は液晶表示パネル（liquid  crystal  display  panel、ＬＣＤ  panel）を採用することができる。しかし、照明システム１２２とライトバルブ１２４が上記の種類に限定されるものではない。
【００４２】
図１Ｄは、図１Ａの携帯可能な表示装置のタッチモジュールの一部分を示す断面図である。本実施例において、タッチモジュール１４０は静電容量式タッチパネルである。タッチモジュール１４０は、電極保護層１４１と、電極保護層１４１上に配置される基板１４２と、基板１４２上に配置され、かつ互いに交差している第一電極パターン層１４３及び第二電極パターン層１４４と、上方基板１４６とを含む。上方基板１４６は、光学的接着層１４５により、第一電極パターン層１４３及び第二電極パターン層１４４上に接着される。
【００４３】
第一電極パターン層１４３及び第二電極パターン層１４４は、酸化インジウムスズ（tin−doped  indium  oxide、ＩＴＯ）で製作される。第一電極パターン層１４３及び第二電極パターン層１４４に適当な電圧をそれぞれ印加するとき、第一電極パターン層１４３と第二電極パターン層１４４との間に静電誘導現象が発生する。導電体（例えば指）でタッチモジュール１４０をタッチするとき、ある位置の静電容量が変化することにより、導電体の位置を検出することができる。
【００４４】
本実施例の携帯可能な表示装置１００は、カバー１１０内に設けられているマイクロプロジェクターモジュール１２０によって画像を第一表示スクリーン１３０に投影する。したがって、従来のバックライトモジュール及び液晶モジュールを設ける必要がなく、携帯可能な表示装置１００の重量、電気使用量、製造コストを低減するとともに、薄型化された外観を得ることができる。また、本発明のある実施例の携帯可能な表示装置１００は、マイクロプロジェクターモジュール１２０により、第一表示スクリーン１３０の輝度を４２０ニトまで向上させ、コントラストを１２００：１以上に向上させることができるので、良好な表示品質を得ることができる。
【００４５】
図２は、本発明の第二実施例に係る携帯可能な表示装置のマイクロプロジェクターモジュールを示す図である。本実施例に係るマイクロプロジェクターモジュール２２０は、光源モジュール２２２と走査モジュール２２４とを含む。光源モジュール２２２は、第一成像用光線Ｌ１を発する。走査モジュール２２４は、第一成像用光線Ｌ１の伝搬経路に配置され、第一成像用光線Ｌ１で第一表示スクリーン（図示せず）上の各位置を走査する。
【００４６】
本実施例において、走査モジュール２２４は、回転軸が互いに垂直である２つの反射鏡２２４ａ（X-mirrorとY-mirror）を含み、かつ第一成像用光線Ｌ１を順次に第一表示スクリーンに投影させることにより画像を生成する。他の実施例において、走査モジュール２２４の体積を低減するため、２つの反射鏡２２４ａの回転軸を不垂直に設けるか、或いは垂直である２つを回転軸に沿ってそれぞれ回転する１つの反射鏡（図示せず）を設けることにより、第一成像用光線Ｌ１で第一表示スクリーン上の各位置を走査することができる。本実施例において、光源モジュール２２２は、レーザー光源、例えばレーザーダイオード（laser  diode）を含み、第一成像用光線Ｌ１は、例えばレーザー光線であることができる。
【００４７】
図３Ａは、本発明の第三実施例に係る携帯可能な表示装置を示す平面図であり、図３Ｂは、図３Ａの携帯可能な表示装置を示す断面図である。本実施例において、光源（図示せず）はレーザー光源である。第一表示スクリーン３３０は蛍光層３３２を含み、第一成像用光線Ｌ１が該蛍光層３３２に照射されるとき、第一成像用光線Ｌ１の作用により蛍光層３３２が第二成像用光線Ｌ２を生成する。第一成像用光線Ｌ１の波長は、第二成像用光線Ｌ２の波長より小さい。
【００４８】
蛍光層３３２は、赤色、緑色、青色の蛍光粉を含む。同じ波長を有する第一成像用光線Ｌ１を蛍光層３３２の各色の蛍光粉に照射するとき、第一成像用光線Ｌ１の作用により複数の波長を有する第二成像用光線Ｌ２が発生する。また、蛍光層３３２は複数の色を有する蛍光粉を含み、第一成像用光線Ｌ１は複数の波長を有する光線を含むこともできる。これらの光線を複数の色を有する蛍光粉に照射するとき、当該光線の作用により所定の波長を有する第二成像用光線Ｌ２が発生する。そのとき、第二成像用光線Ｌ２が複数の色を有する子光線を含むことにより、カラー画像を形成することができる。
【００４９】
図４Ａは、本発明の第四実施例に係る携帯可能な表示装置を示す平面図であり、図４Ｂは、図４Ａの携帯可能な表示装置を示す断面図である。図４Ａと図４Ｂを参照すると、本実施例の携帯可能な表示装置４００と図１Ｂの携帯可能な表示装置１００との間の主な相違点は、図１Ｂの携帯可能な表示装置１００のカバー１１０が直方体に形成されることにある。図１Ｂのカバー１１０において、マイクロプロジェクターモジュール１２０に近づく一端の厚さと、マイクロプロジェクターモジュール１２０から離れる他端の厚さとが実際に同じである。本実施例においては、携帯可能な表示装置４００のカバー４１０がくさび形（wedge−shaped）に形成されている。具体的には、携帯可能な表示装置４００のカバー４１０の厚さは、マイクロプロジェクターモジュール４２０に近づく一端からマイクロプロジェクターモジュール１２０から離れる他端に向かって逓減する。本実施例の携帯可能な表示装置４００において、カバー４１０をくさび形に設けることにより、携帯可能な表示装置４００の体積を低減し、厚さをより薄くすることができる。
【００５０】
図５Ａは、本発明の第五実施例に係る携帯可能な表示装置を示す平面図であり、図５Ｂは、図５Ａの携帯可能な表示装置を示す断面図である。図５Ａと図５Ｂを参照すると、本実施例の携帯可能な表示装置５００は、反射部品５５０を更に含み、マイクロプロジェクターモジュール５２０と反射部品５５０は、カバー５１０の両側に位置している。本実施例において、反射部品５５０が平面鏡である。反射部品５５０は、マイクロプロジェクターモジュール５２０が発した第一成像用光線Ｌ１を第一表示スクリーン５３０に反射することにより、第一成像用光線Ｌ１の光学経路がより長くなるようにする。
【００５１】
図６Ａは、本発明の第六実施例に係る携帯可能な表示装置を示す平面図であり、図６Ｂは、図６Ａの携帯可能な表示装置を示す断面図である。図６Ａと図６Ｂを参照すると、本実施例の携帯可能な表示装置６００と図５Ｂの携帯可能な表示装置５００との間の主な相違点は、図５Ｂの携帯可能な表示装置５００のカバー５１０において、マイクロプロジェクターモジュール５２０に近づく一端の厚さと、マイクロプロジェクターモジュール５２０から離れる他端の厚さとが実際に同じであることにある。本実施例のカバー６１０の厚さは、反射部品６５０に近づく一端からマイクロプロジェクターモジュール６２０に近づく他端に向かって逓減する。それにより、携帯可能な表示装置６００の体積及び厚さを低減することができる。
【００５２】
図７Ａは、本発明の第七実施例に係る携帯可能な表示装置を示す平面図であり、図７Ｂは、図７Ａの携帯可能な表示装置を示す断面図である。図７Ａと図７Ｂを参照すると、本実施例の携帯可能な表示装置７００と図５Ａの携帯可能な表示装置５００との間の主な相違点は、本実施例の反射部品７５０が円柱面型凸面鏡であることにある。図７Ａに示す図面においては、反射部品７５０が長手形に示され、図７Ｂに示す図面においては、反射部品７５０が凸面に示されている。しかし、反射部品７５０の種類が前記の形状に限定されるものではない。すなわち、他の実施例において、反射部品７５０が円柱面型凹面鏡などであることもできる。
【００５３】
図８Ａは、本発明の第八実施例に係る携帯可能な表示装置を示す平面図であり、図８Ｂは、図８Ａの携帯可能な表示装置を示す断面図である。図８Ａと図８Ｂを参照すると、本実施例の反射部品８５０は凸面鏡である。本実施例の反射部品８５０は、図８Ａ又は図８Ｂのうちのいずれでも凸面に示されている。しかし、反射部品８５０の種類が前記の形状に限定されるものではない。すなわち、他の実施例の反射部品８５０は、非球面反射鏡（aspheric  mirror）又は不規則な曲面反射鏡（free  form  mirror）などであることもできる。
【００５４】
図９Ａは、本発明の第九実施例に係る携帯可能な表示装置を示す平面図であり、図９Ｂは、図９Ａの携帯可能な表示装置を示す断面図である。図９Ａと図９Ｂを参照すると、本実施例の携帯可能な表示装置９００と図８Ａの携帯可能な表示装置８００との間の相違点は、図８Ａにおいて、マイクロプロジェクターモジュール８２０と反射部品８５０とがカバー８１０内の相対する両側に設けられることにある。本実施例においては、マイクロプロジェクターモジュール９２０と反射部品９５０とは、カバー９１０内の同じ側に設けられる。しかし、マイクロプロジェクターモジュール９２０と反射部品９５０の位置は、上述した事項に限定されるものではなく、マイクロプロジェクターモジュール９２０が発した第一成像用光線Ｌ１を第一表示スクリーン９３０に反射することができるいずれかの位置に設けることができる。
【００５５】
図１０Ａは、本発明の第十実施例に係る携帯可能な表示装置を示す平面図であり、図１０Ｂは、図１０Ａの携帯可能な表示装置を示す断面図である。図１０Ａと図１０Ｂを参照すると、本実施例の携帯可能な表示装置１０００と図９Ａの携帯可能な表示装置９００との間の相違点は、図９Ａの反射部品９５０が凸面鏡であり、本実施例の反射部品１０５０が凹面鏡であることにある。反射部品１０５０の種類は、設けられたマイクロプロジェクターモジュール１０２０が発する第一成像用光線Ｌ１により設けることができる。例えば、マイクロプロジェクターモジュール１０２０が発散する第一成像用光線Ｌ１を発するとき、光線を集光させるため、本実施例のように凹面鏡で構成される反射部品１０５０を採用する。これにより、発散する第一成像用光線Ｌ１を集光させる。しかし、反射部品１０５０の形態は上述した事項に限定されるものではなく、マイクロプロジェクターモジュール１０２０が発した第一成像用光線Ｌ１を第一表示スクリーン１０３０に反射することができるいずれかの形態に設けることができる。
【００５６】
図１１Ａは、本発明の第十一実施例に係る携帯可能な表示装置を示す平面図であり、図１１Ｂは、図１１Ａの携帯可能な表示装置を示す断面図である。図１１Ａと図１１Ｂを参照すると、本実施例において、第一成像用光線Ｌ１の光学経路の長さを増加するため、カバー１１１０の一側にマイクロプロジェクターモジュール１１２０を収納するための突出部１１１２を形成する。これにより、マイクロプロジェクターモジュール１１２０と第一表示スクリーン１１３０との間の距離を増加するとともに、第一成像用光線Ｌ１の光学経路の長さを増加することができる。
【００５７】
図１２Ａは、本発明の第十二実施例に係る携帯可能な表示装置を示す平面図であり、図１２Ｂは、図１２Ａの携帯可能な表示装置を示す断面図である。図１２Ａと図１２Ｂを参照すると、本実施例の携帯可能な表示装置１２００と図１１Ａの携帯可能な表示装置１１００との間の主な相違点は、図１１Ａにおいて、突出部１１１２とマイクロプロジェクターモジュール１１２０がカバー１１１０の一側の中央部に設けられることにある。本実施例においては、突出部１２１２とマイクロプロジェクターモジュール１２２０が共にカバー１２１０の１つの隅部に設けられる。しかし、突出部１２１２とマイクロプロジェクターモジュール１２２０の位置は、上述した事項に限定されるものではない。
【００５８】
図１３Ａは、本発明の第十三実施例に係る携帯可能な表示装置のマイクロプロジェクターモジュールが画像を第一表示スクリーンに投影することを示す図であり、図１３Ｂは、図１３Ａの携帯可能な表示装置のマイクロプロジェクターモジュールが画像をカバーの外に投影することを示す図である。図１３Ａと図１３Ｂを参照すると、本実施例の携帯可能な表示装置１３００は回転構造１３６０を更に含む。これにより、他人と共に画像を見ることができる。具体的には、マイクロプロジェクターモジュール１３２０が回転構造１３６０によりカバー１３１０に回転可能に設けられることにより、マイクロプロジェクターモジュール１３２０が内投影位置Ｐ１と外投影位置Ｐ２との間で回転することができる。
【００５９】
図１３Ａに示すとおり、マイクロプロジェクターモジュール１３２０が内投影位置Ｐ１に位置するとき、マイクロプロジェクターモジュール１３２０の第一成像用光線Ｌ１が第一表示スクリーン１３３０に投影される。図１３Ｂに示すとおり、マイクロプロジェクターモジュール１３２０が外投影位置Ｐ２に位置するとき、マイクロプロジェクターモジュール１３２０の第一成像用光線Ｌ１がカバー１３１０の外にある物体に投影される。該物体は、壁、天井、外部スクリーン又は投影可能ないずれかの平面であることができる。上述した構造により、使用者は、需要に従ってマイクロプロジェクターモジュール１３２０をいずれかの角度に回転させることができる。
【００６０】
図１４は、本発明の第十四実施例に係る携帯可能な表示装置を示す平面図である。図１４を参照すると、カバーの外に投影される画像を手振りなどでタッチする機能を実現するため、本実施例の携帯可能な表示装置１４００は発光器１４７０と受光器１４７５を含む。発光器１４７０は、カバー１４１０の外にある第一成像用光線Ｌ１の投影区域に第三光線Ｌ３を発する。受光器１４７５は、第三光線Ｌ３の変化を検出することにより、第一成像用光線Ｌ１の投影区域にある物体の位置を検出する。本実施例において、第三光線Ｌ３が、不可視光、例えば赤外線であることにより、第三光線Ｌ３が第一成像用光線Ｌ１の投影画像に影響を与えることを避ける。しかし、第三光線Ｌ３の種類は上述したことに限定されるものではない。
【００６１】
図１５Ａは、本発明の第十五実施例に係る携帯可能な表示装置のマイクロプロジェクターモジュールが画像を第一表示スクリーンに投影することを示す図である。図１５Ｂは、図１５Ａの携帯可能な表示装置のマイクロプロジェクターモジュールが画像をカバーの外に投影することを示す図である。図１５Ａと図１５Ｂを参照すると、本実施例の携帯可能な表示装置１５００と図１３Ａの携帯可能な表示装置１３００の主な相違点は、図１３Ａにおいて、マイクロプロジェクターモジュール１３２０と回転構造１３６０とがカバー１３１０の一側に設けられていることにある。本実施例においては、マイクロプロジェクターモジュール１５２０と回転構造１５６０とが共にカバー１５１０の１つの隅部に設けられている。しかし、マイクロプロジェクターモジュール１５２０と回転構造１５６０とがカバー１５１０に設けられる位置は、上述した内容に限定されるものではない。
【００６２】
図１６Ａは、本発明の第十六実施例に係る携帯可能な表示装置のマイクロプロジェクターモジュールが画像をカバーの外に投影することを示す図である。図１６Ｂは、図１６Ａの携帯可能な表示装置を示す断面図である。図１６Ａと図１６Ｂを参照すると、本実施例の携帯可能な表示装置１６００は、偏極化分光器１６８０と光学補償部品１６８５を更に含む。本実施例において、偏極化分光器１６８０が偏極化分光レンズ、例えば表面に偏極性材料が塗布されている凸面レンズである。他の実施例において、偏極化分光器１６８０が偏極化分光プリズムであることもできる。しかし、偏極化分光器１６８０の種類は、上述した内容に限定されるものではない。
【００６３】
本実施例において、マイクロプロジェクターモジュール１６２０は、第一成像用光線Ｌ１のみを発するか、或いは第一成像用光線Ｌ１と第四成像用光線Ｌ４を交替に発することができる。後者の場合、第一成像用光線Ｌ１の偏光状態と第四成像用光線Ｌ４の偏光状態とが異なる。本実施例において、第一成像用光線Ｌ１と第四成像用光線Ｌ４は、振幅方向が異なる光線である。例えば、振幅方向が垂直であるＳ振幅光線（S-polarized  light）とＰ振幅光線（P-polarized  light）である。しかし、第一成像用光線Ｌ１と第四成像用光線Ｌ４の種類が上述したことに限定されるものではない。
【００６４】
第一表示スクリーン１６３０で画像を見る場合、マイクロプロジェクターモジュール１６２０が第一成像用光線Ｌ１のみを発し、偏極化分光器１６８０が第一成像用光線Ｌ１を第一表示スクリーン１６３０に反射することにより、第一表示スクリーン１６３０に画像を形成する。
【００６５】
第一表示スクリーン１６３０とカバー１６１０の外に画像を投影する場合、マイクロプロジェクターモジュール１６２０は第一成像用光線Ｌ１と第四成像用光線Ｌ４を交替に発し、かつ第一成像用光線Ｌ１は偏極化分光器１６８０の反射により第一表示スクリーン１６３０に投影され、第四成像用光線Ｌ４は偏極化分光器１６８０を透過した後にカバー１６１０の外に投影される。すなわち、本実施例の携帯可能な表示装置１６００は、画像を第一表示スクリーン１６３０とカバー１６１０の外にある物体とに同時に投影することができる。
【００６６】
本実施例において、光学補償部品１６８５は、偏極化分光器１６８０を透過した第四成像用光線Ｌ４の伝搬経路に設けられている。光学補償部品１６８５は、第四成像用光線Ｌ４がカバー１６１０の外に投影されるときの画像差を補償するか、或いは画像を拡大化する機能を奏する。光学補償部品１６８５は、例えば、レンズ組合せ又はアナモルフィックレンズ（Anamorphic  Lens）などであることができるが、これらに限定されるものではない。他の実施例において、光学補償部品１６８５の代りにソフトウェアー補償方法を採用することができる。
【００６７】
図１７は、本発明の第十七実施例に係る携帯可能な表示装置を示す平面図である。図１７において、カバーの外に投影された画像を手振りなどでタッチする機能を実現する。本実施例の携帯可能な表示装置１７００と図１６Ａの携帯可能な表示装置１６００との間の相違点は、本実施例の携帯可能な表示装置１７００が発光器１７７０と受光器１７７５を更に含むことにある。発光器１７７０は、カバー１７１０の外にある第四成像用光線Ｌ４の投影区域に第五光線Ｌ５を発する。受光器１７７５は、第五光線Ｌ５の変化を検出することにより、第四成像用光線Ｌ４の投影区域にある物体の位置を検出する。本実施例において、第五光線Ｌ５が、不可視光、例えば赤外線であることにより、第五光線Ｌ５が第四成像用光線Ｌ４の投影画像に影響を与えることを避ける。しかし、第五光線Ｌ５の種類は上述したことに限定されるものではない。
【００６８】
図１８Ａは、本発明の第十八実施例に係る携帯可能な表示装置の第二表示スクリーンがカバー内に収納されることを示す図である。図１８Ｂは、図１８Ａの携帯可能な表示装置の第二表示スクリーンがカバーの外に展開されていることを示す図である。図１８Ａと図１８Ｂを参照すると、本実施例の携帯可能な表示装置１８００は、より大きい表示画面を提供するため、少なくとも１つの第二表示スクリーン１８９０を更に含む。第二表示スクリーン１８９０は、カバー１８１０の内に収納されるか、或いはカバー１８１０の外に展開される。
【００６９】
図１８Ａに示すとおり、平常使用者が第一表示スクリーン１８３０で画面を見るとき、第二表示スクリーン１８９０はカバー１８１０内に収納される。第二表示スクリーン１８９０をカバー１８１０内に収納する方法として、例えば、巻物のように巻く方法、直接折り畳む方法、又は第二表示スクリーン１８９０を所定の方向に移動させて第一表示スクリーン１８３０と第二表示スクリーン１８９０とを重畳させる収納方法などを採用することができる。しかし、第二表示スクリーン１８９０をカバー１８１０内に収納する方法は、上述した内容に限定されるものではない。
【００７０】
使用者がより大きい画面で画像を見ようとするとき、図１８Ｂに示すとおり、第二表示スクリーン１８９０をカバー１８１０の外に展開する。すなわち、第二表示スクリーン１８９０を第一表示スクリーン１８３０の両側に展開して、第一成像用光線Ｌ１が第二表示スクリーン１８９０と第一表示スクリーン１８３０とに投影されるようにする。本実施例の携帯可能な表示装置１８００は、折畳又は展開可能な第二表示スクリーン１８９０により表示スクリーンのサイズを増加することができる。
【００７１】
図１９Ａは、本発明の第十九実施例に係る携帯可能な表示装置を示す平面図である。図１９Ｂと図１９Ｃは、図１９Ａの携帯可能な表示装置のタッチモジュールの作動原理を示す図である。図１９Ａ〜図１９Ｃを参照すると、本実施例の携帯可能な表示装置１９００のタッチモジュール１９４０と図１Ｄのタッチモジュール１４０との間の相違点は、図１Ｄのタッチモジュール１４０が静電容量式タッチモジュールであることにある。本実施例において、タッチモジュール１９４０は光導波式タッチモジュールである。本実施例のタッチモジュール１９４０は、光出射器１９４２と、導光板１９４４と、光検出器１９４６とを含む。光出射器１９４２は、検出用光線ＬＤを発する。導光板１９４４は、検出用光線ＬＤの伝搬経路に設けられる。光検出器１９４６は、導光板１９４４から出射された検出用光線ＬＤの伝搬経路に設けられる。ある物体１０、例えば指でタッチモジュール１９４０をタッチするとき、当該物体により導光板１９４４内で伝搬される検出用光線ＬＤが変化し、かつ漏れ全反射（Frustrated  Total  Internal  Reflection、ＦＴＩＲ）が発生するので、光検出器１９４６が当該物体によって変化された検出用光線ＬＤを検出し、物体の位置を検出することができる。
【００７２】
図２０Ａは、本発明の第二十実施例に係る携帯可能な表示装置を示す平面図である。図２０Ｂは、図２０Ａの携帯可能な表示装置のタッチモジュールの作動原理を示す図である。図２０Ａと図２０Ｂを参照すると、本実施例のタッチモジュール２０４０は、遮光式タッチモジュールであり、かつ光出射モジュール２０４２と光接収モジュール２０４６とを含む。光出射モジュール２０４２は、第一表示スクリーン２０３０の一側に配置され、かつ第一表示スクリーン２０３０の前側に伝搬される検出用光線ＬＤを発する。光接収モジュール２０４６は、第一表示スクリーン２０３０の他側に配置され、該検出用光線ＬＤを接収する。図２０Ｂに示すとおり、ある物体１０（例えば指）で第一表示スクリーン２０３０をタッチするか、或いは第一表示スクリーン２０３０に接近させるとき、該物体の位置を通過する検出用光線ＬＤが該物体に遮光されるので、該遮光位置に対応する光接収モジュール２０４６が検出用光線ＬＤを接収することができない。したがって、該物体が第一表示スクリーン２０３０に位置する位置を獲得することができる。
【００７３】
図２１は、本発明の第二十一実施例に係る携帯可能な表示装置を示す図である。図２１を参照すると、本実施例の携帯可能な表示装置２１００のタッチモジュール２１４０は、光走査式タッチモジュールであり、走査用光源２１４２と光接収器２１４６を含む。本実施例のタッチモジュール２１４０は２つの走査用光源２１４２を含み、該走査用光源はレーザー光源である。各走査用光源２１４２は、第一表示スクリーン２１３０の一側に設けられ、検出用光線ＬＤを発する。該検出用光線ＬＤによって第一表示スクリーン２１３０の前の空間を走査する。光接収器２１４６は、第一表示スクリーン２１３０の一側に設けられる。図２１に示すとおり、本実施例において、２つの走査用光源２１４２と光接収器２１４６とが第一表示スクリーン２１３０の同側に設けられているが、走査用光源２１４２と光接収器２１４６との位置が上述した事項に限定されるものではない。光接収器２１４６は、第一表示スクリーン２１３０の前の空間を通過する検出用光線ＬＤを検出する。ある物体１０（例えば指）で第一表示スクリーン２１３０をタッチするか、或いは第一表示スクリーン２１３０に接近させるとき、光接収器２１４６が該物体に反射された検出用光線ＬＤを検出することにより、該物体が第一表示スクリーン２０３０に位置する位置を獲得することができる。
【００７４】
図２２Ａは、本発明の第二十二実施例に係る携帯可能な表示装置を示す図である。図２２Ｂは、図２２Ａの携帯可能な表示装置の局部を示す図である。図２２Ａと図２２Ｂを参照すると、本実施例の携帯可能な表示装置２２００は、透光式太陽パネル２２９２を更に含み、該透光式太陽パネル２２９２は、カバー２２１０内に設けられ、かつ第一表示スクリーン２２３０に接近する一側に設けられる。図２２Ｂに示すとおり、タッチモジュール２２４０は第一表示スクリーン２２３０の傍に設けられ、透光式太陽パネル２２９２はタッチモジュール２２４０の傍に設けられ、透明基板２２９４は透光式太陽パネル２２９２の傍に設けられる。本実施例において、透光式太陽パネル２２９２が第一成像用光線Ｌ１の伝搬経路に設けられているが、現在の透光式太陽パネル２２９２の透光率が９０％まで達することができるので、第一成像用光線Ｌ１を遮光する影響を殆ど与えない。したがって、本実施例の携帯可能な表示装置２２００において、第一成像用光線Ｌ１により第一表示スクリーン２２３０に画像を表示するとき、透光式太陽パネル２２９２がエネルギーを吸収することにより電力の自給を実現することができる。
【００７５】
図２３は、本発明の第二十三実施例に係る携帯可能な表示装置を示す断面図である。図２３を参照すると、本実施例の携帯可能な表示装置２３００と図２２Ａの携帯可能な表示装置２２００との間の相違点は、本実施例の太陽パネル２３９６が第一表示スクリーン２３３０に対向するようにカバー２３１０内に設けられることにある。太陽パネル２３９６が第一成像用光線Ｌ１の伝搬経路に設けられていないので、当該太陽パネル２３９６は透光性を有していない。本実施例において、太陽パネル２３９６は、第一表示スクリーン２３３０からカバー２３１０内に入射された外部環境の光線を吸収するだけではなく、マイクロプロジェクターモジュール２３２０が投影のために発した光線を拡散光線を吸収して、電力の自給を実現する。
【００７６】
上述したとおり、本発明の携帯可能な表示装置は、カバー内のマイクロプロジェクターモジュールが画像を表示スクリーンに投影することにより、従来のバックライトモジュールと液晶モジュールを設けることを避けることができる。したがって、本発明の携帯可能な表示装置は、重さが軽く、電気消耗が少なく、製造コストが安い利点を有している。また、本発明の携帯可能な表示装置のマイクロプロジェクターモジュールが回転構造によりカバーに相対して回転することができるので、使用者がマイクロプロジェクターモジュールの画像を表示スクリーン又はカバーの外の物体に投影させることができる。マイクロプロジェクターモジュールの画像をカバーの外の物体に投影させるとき、携帯可能な表示装置で物体に投影された画面をタッチすることができる。本発明の携帯可能な表示装置は、偏極化分光器によりマイクロプロジェクターモジュールの画像を表示スクリーンとカバーの外の物体に交替に投影させることができるので、使用者が表示スクリーン又はカバーの外の物体で画像を見ることができる。また、本発明の携帯可能な表示装置は、カバー内に収納されるか或いはカバーの外に展開される第二表示スクリーンを更に含み、かつ該第二表示スクリーンにより使用者が表示スクリーンの大きさを自由に調節することができる。また、本発明の携帯可能な表示装置は、太陽パネルで外部の光線と、マイクロプロジェクターモジュールが発した少量の光線と、カバー内部の拡散光線とを吸収し、エネルギーを蓄積することにより、電力の自給を実現する。
【００７７】
以上、この発明の好適な実施例を詳述してきたが、上述した実施例はこの発明の例示にしか過ぎないものであるため、この発明は実施例の構成に限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。
【符号の説明】
【００７８】
Ｌ１  第一成像用光線
Ｌ２  第二成像用光線
Ｌ３  第三光線
Ｌ４  第四成像用光線
Ｌ５  第五光線
ＬＬ  照明用光線
ＬＤ  検出用光線
Ｐ１  内投影位置
Ｐ２  外投影位置
１０  物体
１００、３００、４００、５００、６００、７００、８００、９００、１０００、１１００、１２００、１３００、１４００、１５００、１６００、１７００、１８００、１９００、２１００、２２００、２３００  携帯可能な表示装置
１１０、４１０、５１０、６１０、８１０、９１０、１１１０、１２１０、１３１０、１４１０、１５１０、１６１０、１７１０、１８１０、２２１０、２３１０  カバー
１２０、２２０、４２０、５２０、６２０、８２０、９２０、１０２０、１１２０、１２２０、１３２０、１５２０、１６２０、２３２０  マイクロプロジェクターモジュール
１２２  照明システム
１２４  ライトバルブ
１２６  成像レンズ
１３０、３３０、５３０、９３０、１０３０、１１３０、１３３０、１６３０、１８３０、２０３０、２１３０、２２３０、２３３０  第一表示スクリーン
１４０、１９４０、２０４０、２１４０、２２４０  タッチモジュール
１４１  電極保護層
１４２  基板
１４３  第一電極パターン層
１４４  第二電極パターン層
１４５  光学的接着層
１４６  上方基板
２２２  光源モジュール
２２４  走査モジュール
２２４ａ  反射鏡
３３２  蛍光層
５５０、６５０、７５０、８５０、９５０、１０５０  反射部品
１１１２、１２１２  突出部
１３６０、１５６０  回転構造
１４７０、１７７０  発光器
１４７５、１７７５  受光器
１６８０  偏極化分光器
１６８５  光学補償部品
１８９０  第二表示スクリーン
１９４２  光出射器
１９４４  導光板
１９４６  光検出器
２０４２  光出射モジュール
２０４６  光接収モジュール
２１４２  走査用光源
２１４６  光接収器
２２９２  透光式太陽パネル
２２９４  透明基板
２３９６  太陽パネル
【図１Ａ】
2015026073.tif 000003
【図１Ｂ】
2015026073.tif 000004
【図１Ｃ】
2015026073.tif 000005
【図１Ｄ】
2015026073.tif 000006
【図２】
2015026073.tif 000007
【図３Ａ】
2015026073.tif 000008
【図３Ｂ】
2015026073.tif 000009
【図４Ａ】
2015026073.tif 000010
【図４Ｂ】
2015026073.tif 000011
【図５Ａ】
2015026073.tif 000012
【図５Ｂ】
2015026073.tif 000013
【図６Ａ】
2015026073.tif 000014
【図６Ｂ】
2015026073.tif 000015
【図７Ａ】
2015026073.tif 000016
【図７Ｂ】
2015026073.tif 000017
【図８Ａ】
2015026073.tif 000018
【図８Ｂ】
2015026073.tif 000019
【図９Ａ】
2015026073.tif 000020
【図９Ｂ】
2015026073.tif 000021
【図１０Ａ】
2015026073.tif 000022
【図１０Ｂ】
2015026073.tif 000023
【図１１Ａ】
2015026073.tif 000024
【図１１Ｂ】
2015026073.tif 000025
【図１２Ａ】
2015026073.tif 000026
【図１２Ｂ】
2015026073.tif 000027
【図１３Ａ】
2015026073.tif 000028
【図１３Ｂ】
2015026073.tif 000029
【図１４】
2015026073.tif 000030
【図１５Ａ】
2015026073.tif 000031
【図１５Ｂ】
2015026073.tif 000032
【図１６Ａ】
2015026073.tif 000033
【図１６Ｂ】
2015026073.tif 000034
【図１７】
2015026073.tif 000035
【図１８Ａ】
2015026073.tif 000036
【図１８Ｂ】
2015026073.tif 000037
【図１９Ａ】
2015026073.tif 000038
【図１９Ｂ】
2015026073.tif 000039
【図１９Ｃ】
2015026073.tif 000040
【図２０Ａ】
2015026073.tif 000041
【図２０Ｂ】
2015026073.tif 000042
【図２１】
2015026073.tif 000043
【図２２Ａ】
2015026073.tif 000044
【図２２Ｂ】
2015026073.tif 000045
【図２３】
2015026073.tif 000046